【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
遊技盤の中央開口部を通しその前方を臨むように固定的に支持された表示器を有する演出表示装置と、
可動装飾体と、この可動装飾体を格納位置から演出位置へ移動させるように一方向駆動し、また、前記可動装飾体を前記演出位置から前記格納位置へ移動させるように他方向駆動する可動装飾体駆動手段とを有する可動演出装置と、
前記遊技盤に設けられて遊技球を入賞させる始動入賞口への前記入賞に伴い特別図柄を変動表示する特別図柄表示手段とを備えて、
前記可動演出装置は、前記可動装飾体が前記格納位置にあるとき、前記可動装飾体駆動手段に対する駆動指令のもと、当該可動装飾体駆動手段の前記一方向駆動に応じて前記可動装飾体を前記演出位置まで移動させて、所定の大当たりによる大当たり遊技の終了に伴いなされる確変或いは時短の遊技状態にて、前記特別図柄の複数回の変動表示の各々にまたいで前記可動装飾体を前記演出位置に維持するようしたパチンコ遊技機。
【請求項２】
遊技盤の中央開口部を通しその前方を臨むように固定的に支持された表示器を有する演出表示装置と、
可動装飾体と、この可動装飾体を格納位置から演出位置へ移動させるように一方向駆動し、また、前記可動装飾体を前記演出位置から前記格納位置へ移動させるように他方向駆動する可動装飾体駆動手段とを有する可動演出装置と、
前記遊技盤に設けられて遊技球を入賞させる始動入賞口への前記入賞に伴い特別図柄を変動表示する特別図柄表示手段とを備えて、
前記可動演出装置は、前記可動装飾体が前記格納位置にあるとき、前記可動装飾体駆動手段に対する駆動指令のもと、当該可動装飾体駆動手段の前記一方向駆動に応じて前記可動装飾体を前記演出位置まで移動させて、所定の大当たりによる大当たり遊技の終了に伴いなされる潜伏確変遊技状態にて、前記特別図柄の複数回の変動表示の各々にまたいで前記可動装飾体を前記演出位置に維持するようしたパチンコ遊技機。
【請求項３】
遊技盤の中央開口部を通しその前方を臨むように固定的に支持された表示器を有する演出表示装置と、
可動装飾体と、この可動装飾体を格納位置から演出位置へ移動させるように一方向駆動し、また、前記可動装飾体を前記演出位置から前記格納位置へ移動させるように他方向駆動する可動装飾体駆動手段とを有する可動演出装置と、
前記遊技盤に設けられて遊技球を入賞させる始動入賞口への前記入賞に伴い特別図柄を変動表示する特別図柄表示手段とを備えて、
前記可動演出装置は、前記特別図柄の複数回の変動表示の各々にまたいで連続的になされる予告演出を表す先読み演出を行うとき、前記可動装飾体駆動手段の前記一方向駆動に応じて前記可動装飾体を前記格納位置から前記演出位置まで移動させて、前記特別図柄の複数回の変動表示の各々にまたいで前記可動装飾体を前記演出位置に維持するようしたパチンコ遊技機。
【請求項４】
前記可動演出装置は、前記可動装飾体の前記演出位置への移動を、前記可動装飾体を前記表示器の前側へ移動させることで行い、
前記演出表示装置は、前記表示器による変動表示を、当該表示器のうち前記可動装飾体に対する対応部位とは異なる表示部位にて、前記変動表示の内容をその一部にした態様で行うことを特徴とする請求項１〜３のいずれか１つに記載のパチンコ遊技機。
【請求項５】
前記変動表示の内容は、複数ラインの装飾図柄の配列であり、
前記演出表示装置が前記表示器により行う変動表示の態様は、前記複数ラインの前記装飾図柄の配列のうちの前記複数ラインよりも少ないラインの配列であることを特徴とする請求項４に記載のパチンコ遊技機。
【手続補正２】
【補正対象書類名】明細書
【補正対象項目名】０００８
【補正方法】変更
【補正の内容】
【０００８】
上記課題の解決にあたり、本発明に係るパチンコ遊技機は、請求項１の記載によれば、
遊技盤（Ｂａ）の中央開口部（１３）を通しその前方を臨むように固定的に支持された表示器（１９１）を有する演出表示装置（１９０）と、
可動装飾体（２００ａ、２００ｂ）と、この可動装飾体を格納位置から演出位置へ移動させるように一方向駆動し、また、可動装飾体を上記演出位置から上記格納位置へ移動させるように他方向駆動する可動装飾体駆動手段（２７０）とを有する可動演出装置（２００）と、
遊技盤に設けられて遊技球を入賞させる始動入賞口（５１）への上記入賞に伴い特別図柄を変動表示する特別図柄表示手段（１４０、６２３）とを備えて、
可動演出装置は、可動装飾体が上記格納位置にあるとき、可動装飾体駆動手段に対する駆動指令のもと、当該可動装飾体駆動手段の上記一方向駆動に応じて可動装飾体を上記演出位置まで移動させて、所定の大当たりによる大当たり遊技の終了に伴いなされる確変或いは時短の遊技状態にて、上記特別図柄の複数回の各々の変動表示にまたいで可動装飾体を上記演出位置に維持する。
【手続補正３】
【補正対象書類名】明細書
【補正対象項目名】００１２
【補正方法】変更
【補正の内容】
【００１２】
また、本発明に係るパチンコ遊技機は、請求項２の記載によれば、
遊技盤（Ｂａ）の中央開口部（１３）を通しその前方を臨むように固定的に支持された表示器（１９１）を有する演出表示装置（１９０）と、
可動装飾体（２００ａ、２００ｂ）と、この可動装飾体を格納位置から演出位置へ移動させるように一方向駆動し、また、可動装飾体を上記演出位置から上記格納位置へ移動させるように他方向駆動する可動装飾体駆動手段（２７０）とを有する可動演出装置（２００）と、
遊技盤に設けられて遊技球を入賞させる始動入賞口（５１）への上記入賞に伴い特別図柄を変動表示する特別図柄表示手段（１４０、６２３）とを備えて、
可動演出装置は、可動装飾体が上記格納位置にあるとき、可動装飾体駆動手段に対する駆動指令のもと、当該可動装飾体駆動手段の上記一方向駆動に応じて可動装飾体を上記演出位置まで移動させて、所定の大当たりによる大当たり遊技の終了に伴いなされる潜伏確変遊技状態にて、上記特別図柄の複数回の各々の変動表示にまたいで可動装飾体を上記演出位置に維持する。
【手続補正４】
【補正対象書類名】明細書
【補正対象項目名】００１６
【補正方法】変更
【補正の内容】
【００１６】
また、本発明に係るパチンコ遊技機は、請求項３の記載によれば、
遊技盤（Ｂａ）の中央開口部（１３）を通しその前方を臨むように固定的に支持された表示器（１９１）を有する演出表示装置（１９０）と、
可動装飾体（２００ａ、２００ｂ）と、この可動装飾体を格納位置から演出位置へ移動させるように一方向駆動し、また、可動装飾体を上記演出位置から上記格納位置へ移動させるように他方向駆動する可動装飾体駆動手段（２７０）とを有する可動演出装置（２００）と、
遊技盤に設けられて遊技球を入賞させる始動入賞口（５１）への上記入賞に伴い特別図柄を変動表示する特別図柄表示手段（１４０、６２３）とを備えて、
可動演出装置は、上記特別図柄の複数回の変動表示の各々にまたいで連続的になされる予告演出を表す先読み演出を行うとき、可動装飾体駆動手段の上記一方向駆動に応じて可動装飾体を上記格納位置から上記演出位置まで移動させて、上記特別図柄の複数回の変動表示の各々にまたいで可動装飾体を上記演出位置に維持する。
【手続補正５】
【補正対象書類名】明細書
【補正対象項目名】００２１
【補正方法】変更
【補正の内容】
【００２１】
また、本発明は、請求項４の記載によれば、請求項１〜３のいずれか１つに記載のパチンコ遊技機において、
可動演出装置は、可動装飾体の上記演出位置への移動を、可動装飾体を表示器の前側へ移動させることで行い、
演出表示装置は、表示器による変動表示を、当該表示器のうち可動装飾体に対する対応部位とは異なる表示部位にて、上記変動表示の内容をその一部にした態様で行うことを特徴とする。
【手続補正６】
【補正対象書類名】明細書
【補正対象項目名】００２２
【補正方法】変更
【補正の内容】
【００２２】
これによれば、遊技者は、表示器の前側の位置である演出位置にある可動装飾体を視認することとなるが、演出表示装置が、表示器のうち可動装飾体に対する対応部位とは異なる表示部位にて、上記変動表示の内容をその一部にした態様で変動表示する。従って、可動装飾体が表示器の前側に位置していても、遊技者は、可動装飾体により邪魔されることなく、表示器の変動表示を、その内容をその一部にした態様でもって良好に視認しつつ、請求項１〜３のいずれか１つに記載の発明と同様の作用効果を達成することができる。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】変更
【補正の内容】
【００２６】
また、本発明は、請求項５の記載によれば、請求項４に記載のパチンコ遊技機において、
上記変動表示の内容は、複数ラインの装飾図柄の配列であり、
演出表示装置が表示器により行う変動表示の態様は、上記複数ラインの上記装飾図柄の配列のうちの上記複数ラインよりも少ないラインの配列であることを特徴とする。
【手続補正１０】
【補正対象書類名】明細書
【補正対象項目名】００２７
【補正方法】変更
【補正の内容】
【００２７】
このように、表示器による変動表示の内容が、複数ラインの装飾図柄の配列であり、演出表示装置が表示器により行う変動表示の態様が、上記複数ラインの上記装飾図柄の配列のうちの上記複数ラインよりも少ないラインの配列であることによって、請求項４に記載の発明の作用効果がより一層具体的に達成され得る。
【手続補正１１】
【補正対象書類名】明細書
【補正対象項目名】０１２２
【補正方法】変更
【補正の内容】
【０１２２】
以上のように構成した本実施形態において、上記パチンコ遊技機がその電源投入により遊技可能な作動状態になると、主制御装置３００が、副制御装置４００とともに、作動状態になる。これに伴い、主制御装置３００のソフトタイマー３７０がリセットされて計時を開始し、この開始後４（ｍｓ）の経過毎に、パルス信号を発生する。このため、主制御装置３００は、ソフトタイマー３７０からのパルス信号の発生毎に、ＣＰＵ３６０により、図１４のフローチャートに従い上記タイマー割り込みプログラムを繰り返し実行する。
【手続補正１２】
【補正対象書類名】明細書
【補正対象項目名】０１３０
【補正方法】変更
【補正の内容】
【０１３０】
上述のようにタイマー割り込みプログラムが特別図柄処理ルーチン１０００に進むと、この特別図柄処理ルーチン１０００において、現段階では、未だ遊技者による遊技は、開始されておらず、遊技状態が大当たり遊技状態及び図柄変動状態のいずれでもない。従って、大当たり中及び特別図柄の変動表示中のいずれでもないことから、両ステップ１０１０、１０２０における判定は順次ＮＯとなる。また、現段階では、遊技球の遊技球の第１始動入賞口５１及び第２始動入賞口６１への各入球に基づく遊技球の保留は未だ発生していないことから、各ステップ１０３０及び１０４０における判定もＮＯとなる。これに伴い、上記タイマー割り込みプログラムは、次の普通図柄処理ルーチン２０００（図１４及び図２５参照）に進む。
【手続補正１３】
【補正対象書類名】明細書
【補正対象項目名】０１７４
【補正方法】変更
【補正の内容】
【０１７４】
然る後、ステップ８２３において、普通図柄保留表示器１５０の駆動処理がなされる。これに伴い、主制御装置３００が、ＣＰＵ３６０により、現段階における通過保留数Ｇに応じて普通図柄保留表示器１５０を駆動する。現段階ではＧ＝１であるから、普通図柄保留表示器１５０は、左端側保留ランプ１５１を点灯させる。これにより、遊技者は、普通図柄の変動表示中において、現段階の通過保留数ＧはＧ＝１であることを視認し得る。
【手続補正１４】
【補正対象書類名】明細書
【補正対象項目名】０１８４
【補正方法】変更
【補正の内容】
【０１８４】
また、上述のように特別図柄処理ルーチン１０００がステップ１０４０に進んだとき、最新の第１特別図柄変動表示保留数Ｕａ（図１７のステップ６２１参照）が、Ｕａ＜１であれば、当該ステップ１０４０における判定はＮＯとなる。一方、最新の第１始動入賞保留数Ｕａ（図１７のステップ６２１参照）が、Ｕａ≧１であれば、当該ステップ１０４０においてＹＥＳと判定される。これに伴い、次のステップ１０４１において、第１特別図柄変動表示保留数Ｕａが、次の式（１１）に基づき、減算更新される。
【手続補正１５】
【補正対象書類名】明細書
【補正対象項目名】０１８９
【補正方法】変更
【補正の内容】
【０１８９】
ここで、上述したステップ１１１０における最新の大当たり抽選用乱数が、大当たり乱数テーブルＴＢ１（図１６（ａ）参照）中の大当たりに対応する乱数値でなければ、ステップ１１２０における判定はＮＯとなり、次のステップ１１２０ａにおいて、小当たりか否かが判定される。
【手続補正１６】
【補正対象書類名】明細書
【補正対象項目名】０１９０
【補正方法】変更
【補正の内容】
【０１９０】
しかして、上述したステップ１１１０における最新の大当たり抽選用乱数が大当たり乱数テーブルＴＢ１中の小当たりに対応する乱数値でなければ、当該ステップ１１２０ａにおいて、ＮＯと判定され、次のステップ１１２１におけるハズレ図柄セット処理において、上記ハズレ図柄がセットされる。このことは、ステップ１１２０において、ハズレとの抽選がなされたことを意味する。一方、ステップ１１２０ａにおける判定がＹＥＳとなる場合には、ステップ１１２２における小当たり図柄セット処理において、上記小当たり図柄がセットされる。このことは、ステップ１１２０において、小当たりとの抽選がなされたことを意味する。
【手続補正１７】
【補正対象書類名】明細書
【補正対象項目名】０３０３
【補正方法】変更
【補正の内容】
【０３０３】
このようにステップ９１２０における判定がＹＥＳになると、次のステップ９１２０ａにおいて大当たり遊技終了か否かが判定される。現段階において大当たり遊技が終了していれば、当該ステップ９１２０ａにおける判定がＹＥＳとなる。然る後、次のステップ９１２１において、両ステップモータの正転処理がなされる。これに伴い、回転駆動機構２２０ｂのステップモータ２２６が、ランプ制御部４００ｄのＣＰＵ４４３による制御のもと、モータ駆動回路２００ｃにより駆動されて正転するとともに、回動駆動機構２７０のステップモータ２７０ａが、当該ＣＰＵ４４３による制御のもと、モータ駆動回路２００ｄにより駆動されて正転する。ここで、ステップモータ２２６の正転方向は、図１１にて被動歯車２２３を矢印Ａｒの示す方向へ回転させる方向に対応する。また、ステップモータ２７０ａの正転方向は、副可動装飾部材２００ｂを、ピン２６４を基準として、図７にて図示時計方向へ回動させる方向に対応する。
【手続補正１８】
【補正対象書類名】明細書
【補正対象項目名】０３７０
【補正方法】変更
【補正の内容】
【０３７０】
これによれば、第２特別図柄変動表示保留数Ｕｂ＝３或いは４を前提に先読み演出処理がなされるとき、この先読み演出処理が、上述した第２特別図柄変動表示保留数Ｕｂを第１特別図柄変動表示保留数Ｕａに優先して消化する処理と相俟ってなされることとなり、その結果、遊技者は、より一層の遊技の興趣を高めることができる。
（７）本発明の実施にあたり、上記実施形態にて述べたマトリックス状の装飾図柄の配列は、縦、横及び（または）斜めの方向のラインからなる複数ラインの装飾図柄の配列と把握してもよい（図３８〜図４０参照）。